(57)【要約】【課題】点検が必要か否かを使用者が的確に把握することができるレンズ鏡筒及び診断システムを提供する。【解決手段】ピント位置の調節を行う第１の可動部４１と、開口絞りの調節を行う第２の可動部５１と、第１の可動部４１，第２の可動部５１の移動量を記憶する第１の可動部移動量記憶部４４，第２の可動部移動量記憶部５４と、第１の機能，第２の機能の低下が発生するときの第１の可動部４１，第２の可動部５１の移動量が記憶されている第１の可動部限界移動量記憶部４６，第２の可動部限界移動量記憶部５６とを有するようにし、第１の可動部限界移動量記憶部４４と第１の可動部移動量記憶部４６の移動量の比較、及び、第２の可動部限界移動量記憶部５４と第２の可動部移動量記憶部５６の移動量の比較によって、製品寿命に対する現在の状況を知り、使用者へ点検の依頼を促す。【選択図】図５
2005106941.tif 000002
【特許請求の範囲】
【請求項１】
機械的移動によって所定の機能を達成する可動部と、
前記可動部の移動量を記憶する可動部移動量記憶部と、
前記所定の機能の低下が発生するときの前記可動部の限界移動量が記憶されている可動部限界移動量記憶部と、
を備えるレンズ鏡筒。
【請求項２】
請求項１に記載のレンズ鏡筒において、
前記可動部は、複数設けられており、
前記可動部移動量記憶部及び前記可動部限界移動量記憶部は、前記可動部の設けられている数に対応していること、
を特徴とするレンズ鏡筒。
【請求項３】
機械的移動によって所定の機能を達成する可動部の寿命に関する診断を行うレンズ鏡筒の診断システムであって、
前記可動部の移動量を記憶する可動部移動量記憶部と、
前記所定の機能の低下が発生するときの前記可動部の限界移動量が記憶されている可動部限界移動量記憶部と、
前記可動部移動量記憶部に記憶された移動量と前記可動部限界移動量記憶部に記憶された限界移動量とを比較して、前記移動量が前記限界移動量に近づいたか否か、及び／又は、前記移動量が前記限界移動量に達したか否かを判定する判定部と、
前記判定部の判定結果に応じた告知を行う告知部と、
を備える診断システム。
【請求項４】
請求項３に記載の診断システムにおいて、
前記告知部は、前記移動量が前記限界移動量に近づいたときに、該当する部位の検査が必要であることを告知すること、
を特徴とする診断システム。
【請求項５】
請求項３又は請求項４に記載の診断システムにおいて、
前記告知部は、前記移動量が前記限界移動量に近づいたときに、前記限界移動量に達するまでの予想使用可能回数及び／又は予想使用可能期間を告知すること、
を特徴とする診断システム。
【請求項６】
請求項３から請求項５までのいずれか１項に記載の診断システムにおいて、
前記可動部は、複数設けられており、
前記可動部移動量記憶部及び前記可動部限界移動量記憶部は、前記可動部の設けられている数に対応し、
前記判定部は、前記複数設けられた可動部毎に判定を行い、
前記告知部は、前記複数設けられた可動部毎に告知を行うこと、
を特徴とする診断システム。
【発明の詳細な説明】
【技術分野】
【０００１】
本発明は、一眼レフカメラ等に装着されるレンズ鏡筒及びその診断システムに関するものである。
【背景技術】
【０００２】
レンズ交換可能なカメラシステムでは、製品を使用者に提供する場合、製品が使用者の使用状況で不具合がないように、試験を繰り返し、合格したものが使用者に提供される。
カメラは、２度とない場面を撮る必要に迫られるので、故障により撮影できないということは許されない。そのため、故障を防ぐために、定期的に製造者への点検（検査）の依頼が欠かせない。
【０００３】
カメラシステムの内、カメラボディについては、年単位で定期的な点検の依頼を習慣化し易い。しかし、カメラボディに装着される交換レンズについては、カメラボディの台数よりも多く保有している場合が多く、購入時期もまちまちで、定期的な点検の依頼がし難い。
また、特にレンズ鏡筒では、その使用状況は使用者によって異なり、使用者によって製品寿命に達するまでの期間が異なる。したがって、同じ間隔で点検の依頼を実施しても、ある使用者にとっては適当であっても、ある使用者にとっては過剰であることも有り、使用者は、いつ点検を依頼すればよいのかがわからないという問題があった。
なお、レンズ鏡筒の点検方法については、例えば、特許文献１に記載されている手法が知られている。
【特許文献１】実開平５−６４１２号公報
【発明の開示】
【発明が解決しようとする課題】
【０００４】
本発明の課題は、点検が必要か否かを使用者が的確に把握することができるレンズ鏡筒及び診断システムを提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、機械的移動によって所定の機能を達成する可動部（４１，５１）と、前記可動部の移動量を記憶する可動部移動量記憶部（４４，５４）と、前記所定の機能の低下が発生するときの前記可動部の限界移動量が記憶されている可動部限界移動量記憶部（４６，５６）と、を備えるレンズ鏡筒（１００）である。
【０００６】
請求項２の発明は、請求項１に記載のレンズ鏡筒において、前記可動部（４１，５１）は、複数設けられており、前記可動部移動量記憶部（４４，５４）及び前記可動部限界移動量記憶部（４６，５６）は、前記可動部の設けられている数に対応していること、を特徴とするレンズ鏡筒である。
【０００７】
請求項３の発明は、機械的移動によって所定の機能を達成する可動部（４１，５１）の寿命に関する診断を行うレンズ鏡筒の診断システムであって、前記可動部の移動量を記憶する可動部移動量記憶部（４４，５４）と、前記所定の機能の低下が発生するときの前記可動部の限界移動量が記憶されている可動部限界移動量記憶部（４６，５６）と、前記可動部移動量記憶部に記憶された移動量と前記可動部限界移動量記憶部に記憶された限界移動量とを比較して、前記移動量が前記限界移動量に近づいたか否か、及び／又は、前記移動量が前記限界移動量に達したか否かを判定する判定部（４７，５７）と、前記判定部の判定結果に応じた告知を行う告知部（６１）と、を備える診断システムである。
【０００８】
請求項４の発明は、請求項３に記載の診断システムにおいて、前記告知部（６１）は、前記移動量が前記限界移動量に近づいたときに、該当する部位の検査が必要であることを告知すること、を特徴とする診断システムである。
【０００９】
請求項５の発明は、請求項３又は請求項４に記載の診断システムにおいて、前記告知部（６１）は、前記移動量が前記限界移動量に近づいたときに、前記限界移動量に達するまでの予想使用可能回数及び／又は予想使用可能期間を告知すること、を特徴とする診断システムである。
【００１０】
請求項６の発明は、請求項３から請求項５までのいずれか１項に記載の診断システムにおいて、前記可動部（４１，５１）は、複数設けられており、前記可動部移動量記憶部（４４，５４）及び前記可動部限界移動量記憶部（４６，５６）は、前記可動部の設けられている数に対応し、前記判定部（４７，５７）は、前記複数設けられた可動部毎に判定を行い、前記告知部（６１）は、前記複数設けられた可動部毎に告知を行うこと、を特徴とする診断システムである。
【発明の効果】
【００１１】
本発明によれば、以下の効果を奏することができる。
（１）可動部の移動量を記憶する可動部移動量記憶部と、所定の機能の低下が発生するときの可動部の限界移動量が記憶されている可動部限界移動量記憶部とを備えるので、レンズ鏡筒毎に当該機能の寿命の管理を行うことができる。
【００１２】
（２）可動部は、複数設けられており、可動部移動量記憶部及び可動部限界移動量記憶部は、可動部の設けられている数に対応しているので、レンズ鏡筒に設けられた複数の機能の寿命の管理を行うことができる。
【００１３】
（３）可動部移動量記憶部に記憶された移動量と可動部限界移動量記憶部に記憶された限界移動量とを比較して、移動量が限界移動量に近づいたか否か、及び／又は、移動量が限界移動量に達したか否かを判定する判定部と、判定部の判定結果に応じた告知を行う告知部とを備えるので、機能の寿命までの余裕に関する情報を的確に使用者に伝えることができる。
【００１４】
（４）告知部は、移動量が限界移動量に近づいたときに、該当する部位の検査が必要であることを告知するので、使用者は、最適な時期に検査を行うことができる。
【００１５】
（５）告知部は、移動量が限界移動量に近づいたときに、限界移動量に達するまでの予想使用可能回数及び／又は予想使用可能期間を告知するので、撮影者は、機能の寿命までの余裕を正確に把握することができる。
【００１６】
（６）可動部は、複数設けられており、判定部は、複数設けられた可動部毎に判定を行い、告知部は、複数設けられた可動部毎に告知を行うので、撮影者は、機能毎の寿命までの余裕を正確に把握することができる。
【発明を実施するための最良の形態】
【００１７】
点検が必要か否かを使用者が的確に把握することができるレンズ鏡筒及び診断システムを提供するという目的を、可動部の移動量を記憶する可動部移動量記憶部と、所定の機能の低下が発生するときの可動部の限界移動量が記憶されている可動部限界移動量記憶部とをレンズ鏡筒に設けることにより実現した。
【実施例】
【００１８】
図１は、本発明によるレンズ鏡筒の実施例を示す図である。
本実施例におけるレンズ鏡筒は、後部固定筒１，電子接点２，外カバー３，絞りレバー５，中空カラー６，支点軸７，支点板８，絞り羽根１０，羽根室１１，ディスク１３，ディスク軸１４，レンズ移動枠１５，前部固定筒１６，フォーカスピン１８，操作リング１９，電気ブラシ２０，エンコーダパターン２１，電子回路２２等を有している。
後部固定筒１は、カメラボディ２００（図５参照）に装着可能なバヨネットマウント１ａを有している。
電子接点２は、装着されたカメラボディ２００と通信を行うための接点である。
外カバー３は、後部固定筒１の工具穴１ｂ、１ｃが見えないようするためにビス４によって後部固定筒１に固定されている。
【００１９】
絞りレバー５は、光量を調節する開口絞りの絞り径を変更する制御をカメラボディ２００からレンズ鏡筒に伝える部材である。
中空カラー６は、絞りレバー５にカシメ固定されている。
支点軸７は、中空カラー６の中空部に入り込み中空カラー６と絞りレバー５を回転可能に支持している。
支点板８は、支点軸７を固定し、ビス９によって後部固定筒１に固定されている。
【００２０】
絞り羽根１０は、開口絞りを形成し、ピン１０ａとピン１０ｂを有している。
羽根室１１は、絞り羽根１０を収納し、絞り羽根１０のピン１０ａを回転可能に保持する穴１１ａを有している。羽根室１１は、後部固定筒１にビス１２で固定されている。
ディスク１３は、絞り羽根１０のピン１０ｂが入り込むカム１３ａを有し、後部固定筒１に回転可能に保持されている。
ディスク軸１４は、ディスク１３に固定されるとともに、絞りレバー５の連結部５ａに連結されている。
カメラボディ２００の制御により絞りレバー５は、支点軸７を支点に回転し、この回転は、連結部５ａからディスク軸１４に伝達されディスク１３が回転する。ディスク１３が回転すると、ディスク１３のカム１３ａによって絞り羽根１０のピン１０ｂが移動し、絞り羽根１０は、羽根室１１の穴１１ａに保持されているピン１０ａを中心に回転して、開口絞りの径を変更する。
【００２１】
図３は、開口絞りの機構を図１の断面ＡＡから見た図である。
図３の状態では、絞り羽根１０は、ディスク１３の内径から飛び出してはいない。
図４は、図３の状態からディスク１３が回転した状態を示す図である。
図３の状態に比べて図４では、ディスク１３が回転しており絞り羽根１０のピン１０ｂがカム１３ａに沿って移動し絞り羽根１０が回転し、ディスク１３の内径よりも飛び出していることで図３よりも小さい開口径を形成している。ディスク１３が同一方向に更に回転すれば、絞り羽根１０は、更に回転して開口径が更に小さくなる。
【００２２】
図１に戻って、レンズＬは、像をカメラボディ（不図示）の結像面に結像させる撮影光学系である。
レンズ移動枠１５は、レンズＬを保持する部材であり、レンズＬを光軸方向に移動させ結像位置を変化させる。
前部固定筒１６は、レンズ移動枠１５を光軸方向に移動可能に保持する部材である。この前部固定筒１６は、ビス１７により後部固定筒１に固定されている。
フォーカスピン１８は、レンズ移動枠１５に植設され前部固定筒１６の直進穴１６ａを貫通している。
操作リング１９は、前部固定筒１６に回転可能に保持されており、フォーカスピン１８が嵌合するカム溝１９ａを有している。
【００２３】
図２は、図１の状態から操作リング１９を回転させた状態を示す図である。
操作リング１９を回転させると、カム溝１９ａと前部固定筒１６の直進穴１６ａによって、フォーカスピン１８は、光軸方向に移動する。フォーカスピン１８が光軸方向に移動すると、フォーカスピン１８を植設した移動枠１５が光軸方向に移動し、移動枠１５に保持されたレンズＬが光軸方向に移動して結像位置が光軸方向に移動することによりピント合わせが行われる。
【００２４】
図１に戻って、電気ブラシ２０は、操作リング１９に固定されており、操作リング１９の回転と一緒に移動する。
エンコーダパターン２１には、パターンが形成されており、電気ブラシ２０が操作リング１９の回転によって移動すると電気ブラシ２０の接触する位置が変化し、位置に対応した電気的な信号が生成される。
電子回路２２は、エンコーダパターン２１と電気ブラシ２０との接触により生成される信号の処理やカメラボディ２００との通信などの電子的処理を行う部分である。
以上のように、本実施例で示したレンズ鏡筒は、第１の機能としてピント位置の調節、第２の機能として開口絞りの調節が存在する。
【００２５】
これら、第１の機能であるピント位置の調節も、第２の機能である開口絞りの調節も、可動部が存在するので必ず摩耗が発生し、永久に機能を維持することはできず、寿命が存在する。
第１の機能であるピント位置の調節と、第２の機能である開口絞りの調節は、それぞれ独立した機能なので、それぞれについて異なる寿命が存在している。また、それぞれの機能に関し、使用者によって使用割合が異なるので、各機能の寿命に達する時期は、使用者にとってまちまちとなる。
本実施例のカメラシステムでは、これら機能毎に、寿命に近づいたことを使用者に知らせるために、以下に示す構成を有している。
【００２６】
図５は、本実施例のレンズ鏡筒１００とこのレンズ鏡筒１００が取り付けられるカメラボディ２００の構成を示すブロック図である。
（第１の可動部）
第１の可動部４１は、ピント位置の調節を行うための部品であるレンズＬ、レンズ移動枠１５、前部固定筒１６、フォーカスピン１８、操作リング１９で構成されている。
第１の可動部移動量検出部４２は、電気ブラシ２０、エンコーダパターン２１で構成されている。なお、カメラボディ２００に結像面からのピントずれ位置を検出する機能が存在する場合もあり、その場合は、カメラボディ２００において第１の可動部４１の移動量を検出することも可能となるので、第１の可動部移動量検出部４２は、カメラボディ２００に存在してもよい。
【００２７】
第１の可動部移動量算出部４３は、電子回路２２に格納されており、第１の可動部４１の移動による第１の可動部移動量検出部４２の信号の変化から第１の可動部４１の移動量を算出する。なお、第１の可動部移動量算出部４３は、カメラボディ２００に存在してもよい。
第１の可動部移動量記憶部４４は、電子回路２２に格納されており、第１の可動部４１の移動量の過去の累積が記憶されている。
第１の可動部移動量積算部４５は、電子回路２２に格納されており、第１の可動部移動量算出部４３の結果に第１の可動部移動量記憶部４４の結果を加算し、加算値を第１の可動部移動量記憶部４４に書き込む。なお、第１の可動部移動量積算部４５は、カメラボディ２００に存在してもよい。
第１の可動部限界移動量記憶部４６は、電子回路２２に格納されており、第１の可動部が寿命に達するまでの移動量があらかじめ記憶されている。
第１の可動部移動量許容内判定部４７は、第１の可動部移動量記憶部４４の値と第１の可動部限界移動量記憶部４６の値を比較する判定部である。第１の可動部移動量記憶部４４の値が第１の可動部限界移動量記憶部４６の値に近くなったら、寿命（第１の可動部限界移動量記憶部４６の値）まで第１の可動部をあとどのくらいの回数（又は移動量）駆動することができるかを示す信号とともに、使用者へ点検の依頼を促す信号を発信する。
【００２８】
表示部６１は、第１の可動部移動量許容内判定部４７からの上記信号の発信を受け、寿命（第１の可動部限界移動量記憶部４６の値）まで第１の可動部をあとどのくらいの回数（又は移動量）駆動することができるかを示すとともに、使用者へ点検の依頼を促すメッセージを表示する告知部である。なお、表示部６１は、カメラボディ２００内に存在するが、レンズ鏡筒１００内に存在していてもよい。
時計部６２では、年月日、日時を知ることが可能で、第１の可動部移動量記憶部４４に記憶された値に関連づけて時計部の値を第１の可動部移動量記憶部４４に記憶する。これによって、第１の可動部が可動し始めてから使用者へ点検の依頼を促す信号を発するまでに至った期間を知ることができる。この期間から、第１の可動部が寿命に達するまでの期間を予測して表示することもできる。なお、時計部６２は、カメラボディ２００内に存在するが、レンズ鏡筒１００内に存在していてもよい。
【００２９】
（第２の可動部）
第２の可動部５１は、開口絞りの調節を行うための部品である絞りレバー５、中空カラー６、支持軸７、支持板８、絞り羽根１０、羽根室１１、ディスク１３、ディスク軸１４で構成されている。
第２の可動部移動量検出部５２は、カメラボディ２００内に存在し、撮影の際にシャッター秒時と開口絞り値が決定されると、その決定値に対応した開口絞り値にカメラボディ２００の制御部材（不図示）が駆動されレンズ鏡筒１００の第２の可動部５１が移動し目的の開口絞り径が形成される。なお、第２の可動部移動量検出部５２は、カメラボディ２００内に存在するが、レンズ鏡筒１００内に存在してもよい。
【００３０】
第２の可動部移動量算出部５３は、電子回路２２に格納されており、第２の可動部５１の移動による第２の可動部移動量検出部５２の信号の変化から第２の可動部５１の移動量を算出する。なお、第２の可動部移動量算出部５３は、カメラボディ２００内に存在してもよい。
第２の可動部移動量記憶部５４は、電子回路２２に格納されており、第２の可動部５１の移動量の過去の累積が記憶されている。
第２の可動部移動量積算部５５は、電子回路２２に格納されており、第２の可動部移動量算出部５３の結果に第２の可動部移動量記憶部５４の結果を加算し、加算値を第２の可動部移動量記憶部５４に書き込む。書き込む際は、時計部６２の値を関連づけて書き込む。なお、第２の可動部移動量積算部５５は、カメラボディ２００内に存在してもよい。
第２の可動部限界移動量記憶部５６は、電子回路２２に格納されており、第２の可動部が寿命に達するまでの移動量があらかじめ記憶されている。
【００３１】
第２の可動部移動量許容内判定部５７は、第２の可動部移動量記憶部５４の値と第２の可動部限界移動量記憶部５６の値を比較する判定部である。第２の可動部移動量記憶部５４の値が第２の可動部限界移動量記憶部５６の値に近くなったら、寿命（第２の可動部限界移動量記憶部５６の値）まで第２の可動部をあとどのくらいの回数（又は移動量）駆動することができるかを示す信号とともに、使用者へ点検の依頼を促す信号を発信する。
表示部６１は、第２の可動部移動量許容内判定部５７からの上記信号の発信を受け、寿命（第２の可動部限界移動量記憶部５６の値）まで第２の可動部をあとどのくらいの回数（又は移動量）駆動することができるかを示すとともに、使用者へ点検の依頼を促すメッセージを表示する。第２の可動部移動量記憶部５４に記憶された値は、日時が関連づけられているので、第２の可動部が可動し始めてから使用者へ点検の依頼を促す信号を発するまでに至った期間を知ることができる。この期間から、第２の可動部が寿命に達するまでの期間を予測して表示することもできる。
【００３２】
使用者は、表示部に表示された点検のお薦めの表示を見て、適切な時期に製造元へ点検に出すことができる。
製造元では、第１の可動部移動量記憶部４４と第１の可動部限界移動量記憶部４６と第２の可動部移動量記憶部５４と第２の可動部限界移動量記憶部５６のデータを基に、どのような作業を行うべきであるのかを判断する。
【００３３】
第１の可動部移動量記憶部４４の値が第１の可動部限界移動量記憶部４６に近ければ、第１の可動部４１の交換を行うことが望ましい。
第１の機能であるピント位置の調節に関して寿命に達した場合は、図１において前部固定筒１６を後部固定筒１からビス１７を抜いて外し、新品のレンズＬ、レンズ移動枠１５、フォーカスピン１８、操作リング１９、電気ブラシ２０、エンコーダパターン２１で構成された新品の前部固定筒１６をビス１７で後部固定筒１に固定することにより第１の可動部４１を新品に交換する。これにより、第２の機能である開口絞りの調節の部品については、そのまま継続してその寿命まで使うことができる。
【００３４】
第２の可動部移動量記憶部５４の値が第２の可動部限界移動量記憶部５６に近ければ、第２の可動部５１の交換を行うことが望ましい。
第２の機能である開口絞りの調節に関して寿命に達した場合は、図１において羽根室１１を後部固定筒１からビス１２を弛めて外し、支持板８を後部固定筒１からビス９を弛めて外し、新品の絞り羽根１０、ディスク１３、ディスク軸１４で構成された新品の羽根室１１をビス１２により後部固定筒１に固定し、新品の絞りレバー５、中空カラー６、支持軸７で構成された新品の支持板８をビス９により後部固定筒１に固定することにより、第２の可動部５１を新品に交換する。これにより、第１の機能であるピント位置の調節の部品については、そのまま継続してその寿命まで使うことができる。
【００３５】
第１の可動部４１を交換した場合を想定して説明する。第１の可動部４１の次回の交換時期は、今回の第１の可動部移動量記憶部４４での寿命達成期間の値から予想できる。また、交換しなかった第２の可動部が交換まであとどのくらいの期間がかかるかは今回の第２の可動部移動量記憶部５４での使用開始から現在までの期間を利用して予想できる。両者の予想から、次回どちらの可動部が先に交換になるかが予想可能になり、次回の点検の必要な時期を使用者に伝えることが可能となる。
【００３６】
一つの例として、第１の可動部４１のみを交換し第２の可動部５１を交換しなくても、第２の可動部５１の交換を待たずに次回も可動部４１の交換が来ることが予想される場合を想定する。この場合、使用者は、今まで使用した期間と同じだけ今後も製品を使うことができるということを知ることができる。この場合は、ピント調節の操作よりも開口絞りの調節が少ないことを意味し、超望遠レンズの場合、スポーツ等の動きの速い被写体が多いので速いシャッター秒時に設定するために開口絞り値を明るくしたまま撮影することが多く開口絞りの調節を殆ど行わず第２の可動部の移動がほとんど発生しないという場合などが該当する。
【００３７】
また、別の例として、第１の可動部４１を交換し第２の可動部５１を交換しなくてもよい場合であって、次に第２の可動部５１の交換の時期が第１の可動部４１よりも先に来ることが予想される場合の内、特に、その時期（第２の可動部５１の交換の時期）が比較的早く来ることが予想される場合を想定する。この場合、第１の可動部４１の交換と同時に第２の可動部５１の交換を行うようにすれば、使用者は今まで使用した期間と同程度の期間、今後も製品を使うことができる。
【００３８】
本実施例によれば、第１の可動部限界移動量記憶部４６と第１の可動部移動量記憶部４４の移動量の比較、第２の可動部限界移動量記憶部５６と第２の可動部移動量記憶部５４の移動量の比較によって、製品寿命に対する現在の状況を知ることができ、的確な時期に使用者へ点検の依頼を促すことができる。
【００３９】
また、使用者の使用状況を時間に関連づけて記憶しているので、次回の点検の時期を予想し使用者に伝えることができる。したがって、点検の必要がない場合に点検を行うようなことをなくすことができ、使用者の点検の頻度を減らす対処ができる。すなわち、使用者にとって最も適切な時期に点検の依頼が可能である。
【００４０】
さらに、表示部６１によってレンズの機能の寿命の前に点検の時期を余裕を持って使用者に知らせることができるので、使用の合間にタイミング良く点検に出すことが可能となり、製品寿命による突如の故障によって撮影チャンスを逃すということを防止できる。
（変形例）
【００４１】
以上説明した実施例に限定されることなく、種々の変形や変更が可能であって、それらも本発明の均等の範囲内である。
例えば、本実施例において、第１の可動部４１として手動のピントの調節、第２の可動部５１として開口絞りの調節を行い、これらについて動作回数を監視する例を示したが、これに限らず、例えば、自動でピント位置を調節するオートフォーカス機能、像ブレを補正するブレ補正機能、ズーム機能等について、同様に動作回数を監視してもよい。
【００４２】
また、本実施例において、使用者への点検のお薦めなどの告知は、表示部６１によって行う例を示したが、これに限らず、例えば、音声を利用して知らせてもよい。
【図面の簡単な説明】
【００４３】
【図１】本発明によるレンズ鏡筒の実施例を示す図である。
【図２】図１の状態から操作リング１９を回転させた状態を示す図である。
【図３】開口絞りの機構を図１の断面ＡＡから見た図である。
【図４】図３の状態からディスク１３が回転した状態を示す図である。
【図５】本実施例のレンズ鏡筒１００とこのレンズ鏡筒１００が取り付けられるカメラボディ２００の構成を示すブロック図である。
【符号の説明】
【００４４】
１  後部固定筒
１ａ  バヨネットマウント
１ｂ  工具穴
１ｃ  工具穴
２  電子接点
３  外カバー
４  ビス
５  絞りレバー
５ａ  連結部
６  中空カラー
７  支持軸
８  支持板
９  ビス
１０  絞り羽根
１０ａ  ピン
１０ｂ  ピン
１１  羽根室
１１ａ  穴
１２  ビス
１３  ディスク
１３ａ  カム
１４  ディスク軸
１５  レンズ移動枠
１６  前部固定筒
１６ａ  直進穴
１７  ビス
１８  フォーカスピン
１９  操作リング
１９ａ  カム溝
２０  電気ブラシ
２１  エンコーダパターン
２２  電子回路
４１  第１の可動部
４２  第１の可動部移動量検出部
４３  第１の可動部移動量算出部
４４  第１の可動部移動量記憶部
４５  第１の可動部移動量積算部
４６  第１の可動部限界移動量記憶部
５１  第２の可動部
５２  第２の可動部移動量検出部
５３  第２の可動部移動量算出部
５４  第２の可動部移動量記憶部
５５  第２の可動部移動量積算部
５６  第２の可動部限界移動量記憶部
６１  表示部
６２  時計部
１００  レンズ鏡筒
２００  カメラボディ
Ｌ  レンズ
【図１】
2005106941.tif 000003
【図２】
2005106941.tif 000004
【図３】
2005106941.tif 000005
【図４】
2005106941.tif 000006
【図５】
2005106941.tif 000007